(57)【要約】【課題】看護師の行動履歴情報を記録することの有益性を看護師に感じさせることができるようにすることで、看護師から理解を得やすくなるようにすることができるようにする。【解決手段】看護師の行動履歴情報を取得する行動履歴情報取得部３５と、行動履歴情報を行動履歴情報記憶部３１に記録する行動履歴情報記録部３６と、行動履歴情報によって特定される看護師の検出場所が、患者または患者の家族と接することが可能な所定の場所に該当するか否かを判定する判定部３７と、看護師の検出場所が所定の場所に該当すると判定された場合、所定の場所における看護師の滞在時間の計測を開始する計測部３８と、滞在時間が所定の制限時間を超過した場合、所定の機器に対して救援を要請する旨の通知を行う通知部３９と、を備え、上記通知を受けた他の看護師等からの救援を受けることにより、看護師が患者または患者の家族による拘束から解放されるようにする。【選択図】図２
2015210701.tif 000002
【特許請求の範囲】
【請求項１】
施設内において看護師の位置が検出された際に、前記看護師の検出場所を特定可能な情報と、前記看護師を特定可能な情報とを、前記看護師の行動履歴情報として取得する行動履歴情報取得部と、
前記行動履歴情報取得部によって取得された前記行動履歴情報を行動履歴情報記憶部に記録する行動履歴情報記録部と、
前記行動履歴情報取得部によって前記行動履歴情報が取得されると、当該行動履歴情報によって特定される前記看護師の検出場所が、患者または患者の家族と接することが可能な所定の場所に該当するか否かを判定する判定部と、
前記看護師の検出場所が前記所定の場所に該当すると判定された場合、前記所定の場所における前記看護師の滞在時間の計測を開始する計測部と、
前記計測部によって計測されている前記滞在時間が所定の制限時間を超過した場合、所定の機器に対して救援を要請する旨の通知を行う通知部と、
を備えることを特徴とする看護業務支援システム。
【請求項２】
前記所定の場所毎に、異なる前記制限時間が設定可能である
ことを特徴とする請求項１に記載の看護業務支援システム。
【請求項３】
前記所定の場所のうち、看護師が患者または患者の家族に拘束されてしまう可能性がより高いと判断された特定の場所については、より短い前記制限時間が設定される
ことを特徴とする請求項２に記載の看護業務支援システム。
【請求項４】
前記通知部は、ナースコール親機または他の看護師が所持する携帯端末の少なくともいずれか一方に対して、前記救援を要請する旨の通知を行う
ことを特徴とする請求項１から３のいずれか一項に記載の看護業務支援システム。
【発明の詳細な説明】
【技術分野】
【０００１】
本発明は、病院等の施設内において看護師による看護業務を支援する看護業務支援システムに関する。
【背景技術】
【０００２】
従来、病院内の複数の検出場所（例えば、病室、診察室等）に設置された装置（例えば、タグリーダ装置等）により、看護師が携帯する装置（例えば、無線ＩＤタグ等）を検出し、看護師が訪れた複数の位置を記録することにより、看護師の動線を導出することができるようにした技術が考案されている。看護師の動線を導出することにより、看護業務において看護師が病院内でどのような動きをするのかを正確に把握することができる。そして、看護師の無駄な動きを見出すことにより、業務効率の改善を図ることが可能となる。
【０００３】
例えば、下記特許文献１では、看護師が看護業務を開始してから終了するまでの間に検出された看護師の一連の位置情報（病室番号および病床番号）から動線を導出する技術が開示されている。この技術によれば、看護師に自らの動線を把握させることが可能なため、業務動作や業務効率の改善点を看護師に啓発することができるとされている。
【０００４】
また、下記特許文献２には、医療従事者によって携帯されるペンダント型または名札型の移動無線装置と廊下灯との通信により、医療従事者の位置を特定し、医療従事者の位置および動線を親機上で表示できるようにした技術が開示されている。この技術によれば、病院関係者が、医療従事者の人数や勤務状況を正確に把握して、適正な人員配置および配分ができるとされている。
【０００５】
なお、下記特許文献３には、患者の履物に内蔵されているＲＦＩＤチップに記憶されているＩＤを、床設備の２か所以上で認識することにより、患者の名前、最終通過場所および通過方向をパーソナルコンピュータから表示できるようにした技術が開示されている。この技術によれば、診察室または手術室の入口で、診察または手術前に患者を確認して、カルテデータまたは医療情報を取り出すことで、患者取り違えなどの医療過誤を防止できるとされている。
【先行技術文献】
【特許文献】
【０００６】
【特許文献１】特開２０１２−１１３６４８号公報
【特許文献２】特開２００３−３２３７４号公報
【特許文献３】特開２００５−２７８７９１号公報
【発明の概要】
【発明が解決しようとする課題】
【０００７】
このように、看護師の行動履歴を示す行動履歴情報を随時記録して看護師の動線を明らかにすることは、病院の経営者にとっては、業務効率の改善や適正な人員配置をすることができる有益なものである。しかしながら、病院の経営に携わらない一般の看護師にとっては、このような有益性を感じることは少なく、反対に、監視されているかのような不快感をより多く感じてしまう。このため、従来、このような看護師の行動履歴情報を記録することの理解を看護師から得ることが難しいという問題があった。
【０００８】
本発明は、このような問題を解決するために成されたものであり、看護師の行動履歴情報を記録することの有益性を看護師に感じさせることができるようにすることで、看護師の行動履歴情報を記録することの理解を看護師から得やすくなるようにすることを目的とする。
【課題を解決するための手段】
【０００９】
上記した課題を解決するために、本発明では、施設内において看護師の位置が検出された際に、看護師の検出場所を特定可能な情報と、看護師を特定可能な情報とを、看護師の行動履歴情報として行動履歴情報記憶部に記録するとともに、当該行動履歴情報によって特定される看護師の検出場所が、患者または患者の家族と接することが可能な所定の場所に該当するか否かを判定する。そして、看護師の検出場所が所定の場所に該当すると判定された場合、所定の場所における看護師の滞在時間の計測を開始し、当該滞在時間が所定の制限時間を超過した場合、所定の機器に対して救援を要請する旨の通知を行うようにしている。
【発明の効果】
【００１０】
上記のように構成した本発明によれば、所定の場所において、看護師が患者または患者の家族から不必要に長時間拘束されてしまった場合、所定の機器に対して救援を要請する旨の通知がなされる。そして、患者または患者の家族による拘束を受けた看護師は、その通知を受けた他の看護師等からの救援を受けることにより、患者または患者の家族による拘束から解放される。これにより、看護師の行動履歴情報を記録することの有益性を看護師に感じさせることができるようになるため、看護師の行動履歴情報を記録することの理解を看護師から得やすくなるようにすることができる。
【図面の簡単な説明】
【００１１】
【図１】本発明の一実施形態に係る看護業務支援システムの全体構成例を示す図である。
【図２】本発明の一実施形態に係る看護業務支援システムの機能構成例を示すブロック図である。
【図３】本発明の一実施形態に係る無線タグリーダ装置による処理の手順を示すフローチャートである。
【図４】本発明の一実施形態に係る看護業務支援装置による処理の手順を示すフローチャートである。
【図５】本発明の一実施形態に係る通知条件記憶部に記憶されている通知条件の一例を示す図である。
【図６】本発明の一実施形態に係る行動履歴情報記憶部に記憶されている行動履歴情報の一例を示す図である。
【図７】本発明の一実施形態に係る通知メッセージの表示例を示す図である。
【発明を実施するための形態】
【００１２】
以下、本発明の一実施形態を図面に基づいて説明する。
【００１３】
〔看護業務支援システムの全体構成〕
図１は、本実施形態に係る看護業務支援システム１の全体構成例を示す図である。なお、ここでは病院に設置される看護支援用の看護業務支援システムを例にとって説明するが、本実施形態の看護業務支援システムは、病院に設置されるものに限定されない。例えば、介護施設等に設置される場合にも適用可能である。
【００１４】
図１に示すように、本実施形態に係る看護業務支援システム１は、無線タグ１０、無線タグリーダ装置２０および看護業務支援装置３０を備えて構成されている。無線タグリーダ装置２０および看護業務支援装置３０は、病院内ネットワーク４０に接続されている。これにより、無線タグリーダ装置２０および看護業務支援装置３０は、病院内ネットワーク４０を介して互いに通信を行うことが可能となっている。
【００１５】
また、病院内ネットワーク４０は、ナースコールシステム５０に接続されている。ナースコールシステム５０は、ナースコール親機５１、ハンディナースコール主装置５２、無線基地局５３および携帯端末（例えば、ＰＨＳ端末）５４を備えて構成されている。
【００１６】
ナースコール親機５１は、患者（ナースコール子機）からの呼び出しに対する応答の操作または患者の呼び出しの操作を行うためのものであり、例えばナースセンタに設置される。携帯端末５４は、患者（ナースコール子機）からの呼び出しに対する応答の操作を行うためのものであり、複数の看護師のそれぞれが所持する。
【００１７】
ハンディナースコール主装置５２は、携帯端末５４による通話やデータの送受信に関する制御を行う。このハンディナースコール主装置５２は、例えば病院内の通信センタに設置され、ナースコール親機５１と接続されている。無線基地局５３は、携帯端末５４との間で通話やデータの無線通信を行うためのものであり、ハンディナースコール主装置５２と接続されている。
【００１８】
看護業務支援装置３０は、病院内ネットワーク４０を介して、ナースコール親機５１と互いに通信を行うことが可能となっている。また、看護業務支援装置３０は、病院内ネットワーク４０、ナースコール親機５１、ハンディナースコール主装置５２および無線基地局５３を介して、携帯端末５４と互いに通信を行うことが可能となっている。
【００１９】
無線タグ１０は、複数の看護師のそれぞれが所持する。無線タグ１０には、当該無線タグ１０の識別情報（以下、タグＩＤと示す）が記憶されている。無線タグリーダ装置２０は、病院内における複数の検出場所（例えば、病室、診察室、カンファレンスルーム等）のそれぞれに設置される。無線タグリーダ装置２０には、当該無線タグリーダ装置２０の識別情報（以下、リーダＩＤと示す）が記憶されている。
【００２０】
看護師が無線タグリーダ装置２０に無線タグ１０をかざすと、無線タグ１０は電磁誘導により電力を発電し、当該電力を利用してタグＩＤを無線タグリーダ装置２０へ無線送信する。無線タグリーダ装置２０は、無線タグ１０から送信されたタグＩＤを受信すると、当該タグＩＤ（特許請求の範囲に記載の看護師を特定可能な情報の一例）と、当該無線タグリーダ装置２０のリーダＩＤ（特許請求の範囲に記載の看護師の検出場所を特定可能な情報の一例）とを、上記看護師の行動履歴を示す行動履歴情報として、病院内ネットワーク４０を介して看護業務支援装置３０へ送信する。
【００２１】
看護業務支援装置３０は、無線タグリーダ装置２０から受信した行動履歴情報に示されているタグＩＤに基づいて、位置が検出された看護師を特定することができる。また、看護業務支援装置３０は、無線タグリーダ装置２０から受信した行動履歴情報に示されているリーダＩＤに基づいて、看護師の位置が検出された場所を特定することができる。
【００２２】
看護業務支援装置３０は、無線タグリーダ装置２０から行動履歴情報が送信されてくる毎に、当該行動履歴情報を行動履歴情報記憶部３１（図２参照）へ記録する。これにより、行動履歴情報記憶部３１には、各看護師の行動履歴情報が蓄積されていく。そして、行動履歴情報記憶部３１に蓄積された行動履歴情報に基づいて、各看護師の動線を抽出することが可能となる。
【００２３】
ここで、看護業務支援装置３０は、病院内において看護師が患者または患者の家族と接することが可能な所定の場所（例えば、病室、カンファレンスルーム等）が定められており、このような所定の場所に看護師が所定時間以上滞在した場合には、他の看護師が所持する携帯端末５４およびナースコール親機５１に対して、救援を要請する旨の通知を行うようになっている。これにより、本実施形態の看護業務支援システム１は、例えば、患者または患者の家族により看護師が不必要に長時間拘束されてしまった場合、他の看護師に対する救援を要請する旨の通知を自動的に行い、他の看護師に救援を行わせることで、患者または患者の家族から看護師を解放することができるようになっている。
【００２４】
〔看護業務支援システム１の機能構成〕
図２は、本実施形態に係る看護業務支援システム１の機能構成例を示すブロック図である。
【００２５】
（無線タグ１０）
無線タグ１０は、タグ情報記憶部１１およびタグ情報送信部１２を備える。タグ情報記憶部１１は、当該無線タグ１０のタグＩＤを記憶する。タグ情報送信部１２は、当該無線タグ１０がタグリーダ装置２０にかざされたとき、タグ情報記憶部１１に記録されているタグＩＤを無線タグリーダ装置２０へ送信する。無線タグ１０は、カード型のものが一般的ではあるが、これに限らず、看護師が携帯または装着できるものであれば、どのような形状を有していてもよい。
【００２６】
（無線タグリーダ装置２０）
無線タグリーダ装置２０は、リーダ情報記憶部２１、タグ情報受信部２２および行動履歴情報送信部２３を備える。リーダ情報記憶部２１は、当該無線タグリーダ装置２０のリーダＩＤを記憶する。タグ情報受信部２２は、無線タグ１０から送信されたタグＩＤを受信する。行動履歴情報送信部２３は、タグ情報受信部２２がタグＩＤを受信すると、当該タグＩＤと、リーダ情報記憶部２１に記憶されているリーダＩＤとを、上記タグＩＤによって特定される看護師の行動履歴を示す行動履歴情報として、看護業務支援装置３０へ送信する。
【００２７】
行動履歴情報送信部２３が看護業務支援装置３０へ送信する行動履歴情報は、行動履歴情報（入室情報）と行動履歴情報（退室情報）とに分類される。行動履歴情報（入室情報）は、看護師が検出場所に入室する際に、無線タグ１０をタグリーダ装置２０にかざしたときに、看護業務支援装置３０へ送信する行動履歴情報である。行動履歴情報（退室情報）は、看護師が検出場所から退室する際に、無線タグ１０をタグリーダ装置２０にかざしたときに、看護業務支援装置３０へ送信する行動履歴情報である。
【００２８】
なお、看護業務支援システム１が備える複数の無線タグ１０は、いずれも図２に示す無線タグ１０と同様の機能を有する。また、看護業務支援システム１が備える複数の無線タグリーダ装置２０は、いずれも図２に示す無線タグリーダ装置２０と同様の機能を有する。
【００２９】
（看護業務支援装置３０）
看護業務支援装置３０は、行動履歴情報記憶部３１、通知条件記憶部３２、看護師情報記憶部３３および検出場所情報記憶部３４を備える。また、看護業務支援装置３０は、その機能構成として、行動履歴情報取得部３５、行動履歴情報記録部３６、判定部３７、計測部３８および通知部３９を備える。
【００３０】
なお、上記各機能ブロック３５〜３９は、ハードウェア構成、ＤＳＰ、ソフトウェアの何れによっても実現することが可能である。例えばソフトウェアによって実現する場合、上記各機能ブロック３５〜３９は、実際にはコンピュータのＣＰＵあるいはＭＰＵ、ＲＡＭ、ＲＯＭ等を備えて構成され、ＲＡＭ、ＲＯＭ、ハードディスク、半導体メモリ等に記憶されたプログラムが動作することによって実現できる。
【００３１】
行動履歴情報記憶部３１は、複数の看護師のそれぞれの行動履歴情報を記憶する。図６に示すように、本実施形態の行動履歴情報は、看護師を特定可能な情報として、タグＩＤ、看護師ＩＤおよび看護師名を含んでいる。また、各行動履歴情報は、看護師の検出場所を特定可能な情報として、リーダＩＤおよび場所名を含んでいる。また、各行動履歴情報は、看護師による検出場所への入室日時および退室日時を含んでいる。
【００３２】
通知条件記憶部３２は、看護師が所定の場所に滞在している時間が制限時間を超えているか否かを判定するための通知条件を記憶する。図５に示すように、本実施形態の通知条件は、複数の所定の場所が設定されており、複数の所定の場所のそれぞれに対し、場所名、リーダＩＤおよび制限時間が設定されている。場所名には、その所定の場所の場所名が設定される。リーダＩＤには、その所定の場所に設置されている無線タグリーダ装置２０のリーダＩＤが設定される。制限時間には、その所定の場所において看護師の滞在時間の計測が開始されてから救援の要請の通知を行うまでの制限時間が設定される。
【００３３】
看護師情報記憶部３３は、複数の看護師のそれぞれの看護師情報を記憶する。看護師情報は、例えば、看護師ＩＤ、看護師名、看護師が所持する無線タグ１０のタグＩＤ、看護師が所持する携帯端末５４の識別情報、担当する患者の識別情報、救援の要請の通知先等の情報を含んで構成される。救援の要請の通知先には、例えば、同一の看護チームに属する複数の看護師等が設定され得る。
【００３４】
検出場所情報記憶部３４は、病院内における複数の検出場所のそれぞれの検出場所情報を記憶する。検出場所情報は、例えば、検出場所に設置されている無線タグリーダ装置２０のリーダＩＤ、検出場所の場所名等の情報を含んで構成される。
【００３５】
行動履歴情報取得部３５は、無線タグリーダ装置２０から送信された行動履歴情報を受信する。行動履歴情報取得部３５が受信する行動履歴情報は、タグＩＤおよびリーダＩＤを含んでいる。行動履歴情報記録部３６は、行動履歴情報取得部３５によって取得された行動履歴情報を行動履歴情報記憶部３１に記録する。
【００３６】
行動履歴情報記録部３６は、行動履歴情報を行動履歴情報記憶部３１に記録するとき、当該行動履歴情報に、看護師ＩＤ、看護師名、場所名、入室日時（または退室日時）を追加する。例えば、行動履歴情報記録部３６は、看護師情報記憶部３３から、タグＩＤに対応する看護師ＩＤおよび看護師名を取得して、当該看護師ＩＤおよび看護師名を行動履歴情報に追加する。また、行動履歴情報記録部３６は、検出場所情報記憶部３４から、リーダＩＤに対応する場所名を取得して、当該場所名を行動履歴情報に追加する。
【００３７】
また、行動履歴情報記録部３６は、行動履歴情報取得部３５が行動履歴情報（入室情報）を受信した場合には、そのときのシステム日時（看護業務支援装置３０の内蔵時計から取得した現在日時）を入室日時として行動履歴情報に追加する。また、行動履歴情報記録部３６は、行動履歴情報取得部３５が行動履歴情報（退室情報）を受信した場合には、そのときのシステム日時を退室日時として行動履歴情報に追加する。
【００３８】
判定部３７は、行動履歴情報取得部３５が行動履歴情報（入室情報）を受信すると、当該行動履歴情報（入室情報）のリーダＩＤによって特定される看護師の検出場所が、患者または家族と接することが可能な所定の場所に該当するか否かを判定する。例えば、判定部３７は、通知条件記憶部３２に記憶されている通知条件に設定されている所定の場所のリーダＩＤと、行動履歴情報（入室情報）に示されているリーダＩＤとが一致した場合に、看護師の検出場所が所定の場所に該当すると判断する。
【００３９】
計測部３８は、看護師の検出場所が所定の場所に該当すると判定部３７によって判定された場合、所定の場所における看護師の滞在時間の計測を開始する。計測部３８は、所定の場所から看護師が離れると、滞在時間の計測を終了する。例えば、計測部３８は、行動履歴情報取得部３５が行動履歴情報（退室情報）を受信したことをもって、所定の場所から看護師が離れたと判断する。
【００４０】
通知部３９は、計測部３８によって計測されている所定の場所における看護師の滞在時間が、その所定の場所に対して設定されている制限時間を超過した場合、所定の機器に対して救援を要請する旨の通知を行う。通知部３９は、通知条件記憶部３２に記憶されている通知条件を参照することにより、所定の場所に対して設定されている制限時間を特定することができる。救援を要請する旨の通知とは、その通知を受けた看護師が、救援が要請されていることを容易に認識できるように、例えば、所定の通知メッセージをディスプレイに表示させたり、所定の通知音をスピーカから出力させたりすることである。
【００４１】
例えば、通知メッセージは、救援の要請元の看護師名、救援の要請場所の場所名等の情報を含んでいる。例えば、救援の要請元の看護師名は、無線タグリーダ装置２０から送信された行動履歴情報に含まれているタグＩＤに基づいて、看護師情報記憶部３３を参照することにより特定することができる。また、救援の要請場所の場所名は、無線タグリーダ装置２０から送信された行動履歴情報に含まれているリーダＩＤに基づいて、検出場所情報記憶部３４を参照することにより特定することができる。
【００４２】
特に、本実施形態では、通知部３９は、ナースコールシステム５０が備えるナースコール親機５１および他の看護師が所持する携帯端末５４に対して、救援を要請する旨の通知を行うようになっている。例えば、通知部３９は、看護師情報記憶部３３に記憶されている看護師情報を参照することにより、救援の要請の通知先を特定することができる。すなわち、救援の要請の通知先は、看護師毎に異ならせることができる。
【００４３】
〔無線タグリーダ装置２０による処理の手順〕
図３は、本実施形態に係る無線タグリーダ装置２０による処理の手順を示すフローチャートである。図３に例示する処理は、看護師が無線タグリーダ装置２０の設置場所に入室して、当該無線タグリーダ装置２０に対して無線タグ１０をかざしたときに開始される。
【００４４】
まず、看護師が無線タグ１０を無線タグリーダ装置２０にかざしたことにより、タグ情報受信部２２が、無線タグ１０から送信されたタグＩＤを受信すると（ステップＳ３０２）、行動履歴情報送信部２３が、リーダ情報記憶部２１に記憶されているリーダＩＤを読み出す（ステップＳ３０４）。そして、行動履歴情報送信部２３は、ステップＳ３０２で受信したタグＩＤと、ステップＳ３０４で読み出したリーダＩＤとを、行動履歴情報（入室情報）として看護業務支援装置３０へ送信する（ステップＳ３０６）。
【００４５】
その後、タグ情報受信部３２は、無線タグ１０から同一のタグＩＤが送信されてくるのを待機し続ける（ステップＳ３０８：Ｎｏ）。そして、タグ情報受信部３２が、無線タグ１０から送信された同一のタグＩＤを受信すると（ステップＳ３０８：Ｙｅｓ）、行動履歴情報送信部２３が、リーダ情報記憶部３１に記憶されているリーダＩＤを読み出す（ステップＳ３１０）。そして、行動履歴情報送信部２３は、ステップＳ３０８で受信したタグＩＤと、ステップＳ３１０で読み出したリーダＩＤとを、行動履歴情報（退室情報）として看護業務支援装置３０へ送信する（ステップＳ３１２）。そして、無線タグリーダ装置２０は、図３に例示する処理を終了する。
【００４６】
このように、無線タグリーダ装置２０は、最初にタグＩＤを読み取った場合には、看護師が当該無線タグリーダ装置２０の設置場所に入室したものとして、行動履歴情報（入室情報）を看護業務支援装置３０へ送信する。そして、無線タグリーダ装置２０は、次に同一のタグＩＤを読み取った場合には、看護師が当該無線タグリーダ装置２０の設置場所から退室したものとして、行動履歴情報（退室情報）を看護業務支援装置３０へ送信する。これにより、看護業務支援装置３０は、看護師の上記設置場所への入室日時および退室日時を特定して、当該入室日時および退室日時を行動履歴情報記憶部３１に記録することができる。
【００４７】
なお、無線タグリーダ装置２０は、入室ボタンおよび退室ボタンを備えていてもよい。この場合、無線タグリーダ装置２０は、入室ボタンが押された状態でタグＩＤを読み取ったときに、行動履歴情報（入室情報）を看護業務支援装置３０へ送信し、退室ボタンが押された状態でタグＩＤを読み取ったときに、行動履歴情報（退室情報）を看護業務支援装置３０へ送信するようにしてもよい。
【００４８】
また、上記処理において、同一のタグＩＤが送信されてくるのを待機しているとき（ステップＳ３０８：Ｎｏ）に、他のタグＩＤを受信した場合（すなわち、他の看護師が無線タグ１０を無線タグリーダ装置２０にかざした場合）、無線タグリーダ装置２０は、同一のタグＩＤが送信されてくるのを引き続き待機するとともに、他のタグＩＤに対するステップＳ３０２以降の処理を実行する。
【００４９】
〔看護業務支援装置３０による処理の手順〕
図４は、本実施形態に係る看護業務支援装置３０による処理の手順を示すフローチャートである。図４に例示する処理は、無線タグリーダ装置２０から送信された行動履歴情報（入室情報）を受信したときに開始される。
【００５０】
まず、行動履歴情報取得部３５が、無線タグリーダ装置２０から送信された行動履歴情報（入室情報）を受信すると（ステップＳ４０２）、行動履歴情報記録部３６が、当該行動履歴情報（入室情報）に追加情報（看護師ＩＤ、看護師名、場所名、入室日時）を設定して（ステップＳ４０４）、当該行動履歴情報（入室情報）を行動履歴情報記憶部３１に記録する（ステップＳ４０６）。
【００５１】
そして、判定部３７が、ステップＳ４０２で取得された行動履歴情報のリーダＩＤによって特定される看護師の検出場所が、患者または患者の家族と接することが可能な所定の場所に該当するか否かを判定する（ステップＳ４０８）。ここで、看護師の検出場所が患者または患者の家族と接することが可能な所定の場所に該当しないと判定部３７が判定した場合（ステップＳ４０８：Ｎｏ）、看護業務支援装置３０は、ステップＳ４２０へ処理を進める。
【００５２】
一方、看護師の検出場所が患者または患者の家族と接することが可能な所定の場所に該当すると判定部３７が判定した場合（ステップＳ４０８：Ｙｅｓ）、計測部３８が、当該所定の場所における看護師の滞在時間の計測を開始する（ステップＳ４１０）。その後、通知部３９は、上記滞在時間が所定の制限時間を超過したか否かを判断し続ける（ステップＳ４１２）。
【００５３】
ここで、上記滞在時間が所定の制限時間を超過したと判断された場合は（ステップＳ４１２：Ｙｅｓ）、通知部３９が、ナースコール親機５１および携帯端末５４に対して、救援を要請する旨の通知を行う（ステップＳ４１４）。そして、看護業務支援装置３０は、ステップＳ４２０へ処理を進める。
【００５４】
一方、上記滞在時間が所定の制限時間を超過していないと判断された場合は（ステップＳ４１２：Ｎｏ）、行動履歴情報取得部３５が、行動履歴情報（退室情報）を受信したか否かを判断する（ステップＳ４１６）。ここで、行動履歴情報（退室情報）を受信したと判断された場合には（ステップＳ４１６：Ｙｅｓ）、行動履歴情報記録部３６が、ステップＳ４０６で行動履歴情報記憶部３１に記録された行動履歴情報に退室日時を設定する（ステップＳ４１８）。そして、看護業務支援装置３０は、図４に例示する処理を終了する。
【００５５】
一方、行動履歴情報（退室情報）を受信していないと判断された場合には（ステップＳ４１６：Ｎｏ）、看護業務支援装置３０は、ステップＳ４１２以降の処理を再度実行する。
【００５６】
ステップＳ４２０では、行動履歴情報取得部３５が、無線タグリーダ装置２０から行動履歴情報（退室情報）を受信するのを待機し続ける（ステップＳ４２０：Ｎｏ）。そして、行動履歴情報取得部３５が行動履歴情報（退室情報）を受信すると（ステップＳ４２０：Ｙｅｓ）、行動履歴情報記録部３６が、ステップＳ４０６で行動履歴情報記憶部３１に記録された行動履歴情報に退室日時を設定する（ステップＳ４２２）。そして、看護業務支援装置３０は、図４に例示する処理を終了する。
【００５７】
〔通知条件の一例〕
図５は、本実施形態に係る通知条件記憶部３２に記憶されている通知条件の一例を示す図である。
【００５８】
例えば、図５に示す通知条件では、所定の場所である「８０２号室」、「第１カンファレンスルーム」、「第２カンファレンスルーム」に対して、それぞれ、リーダＩＤとして「Ｒ−０８０２」、「Ｒ−０００１」、「Ｒ−０００２」が設定されており、制限時間として「３０分」、「６０分」、「６０分」が設定されている。
【００５９】
特に、「８０２号室」は他の所定の場所よりも制限時間が短くなっている。これは、「８０２号室」が、看護師が患者または患者の家族に拘束されてしまう可能性がより高い特定の場所であると判断されたからである。そして、このような特定の場所では、できるだけ早めに救援を要請することが好ましいからである。
【００６０】
通知条件に対する所定の場所の設定および制限時間の設定は、看護師等が手動で行ってもよく、予め定められた条件に基づいて、看護業務支援装置３０が自動的に行ってもよい。
【００６１】
例えば、看護業務支援装置３０は、行動履歴情報記憶部３１に記憶されている行動履歴情報に基づいて、看護師の滞在時間が基準時間（例えば、６０分）を超えたことが過去に所定回数以上あった場所を、所定の場所として通知条件に設定する。このとき、この所定の場所に対しては、制限時間として初期値（例えば、６０分）を設定する。
【００６２】
また、看護業務支援装置３０は、所定の場所として通知条件に設定された場所について、さらに、看護師の滞在時間が制限時間を超えることが所定回数以上あった場合、その所定の場所を特定の場所として判断して、初期値に代えて、より短い値（例えば、３０分）を制限時間に設定するようにしてもよい。
【００６３】
看護業務支援装置３０の判定部３７は、このような通知条件（リーダＩＤ）に基づいて、看護師の検出場所が所定の場所に該当するか否かを判断する。また、通知部３９は、このような通知条件（制限時間）に基づいて、所定の場所における看護師の滞在時間が制限時間を超過しているか否かを判断する。そして、所定の場所への看護師の滞在時間が制限時間を超過していると判定部３７および通知部３９によって判断された場合、通知部３９が、ナースコール親機５１および携帯端末５４に対して、救援を要請する旨の通知を行う。
【００６４】
〔行動履歴情報の一例〕
図６は、本実施形態に係る行動履歴情報記憶部３１に記憶されている行動履歴情報の一例を示す図である。図６に示すように、行動履歴情報記憶部３１は、同一の看護師に対して複数の行動履歴情報を記憶する。そして、病院内において看護師の位置が検出される毎に、行動履歴情報記憶部３１には、タグＩＤ、看護師ＩＤ、看護師名、リーダＩＤ、場所名、入室日時（または退室日時）が示された行動履歴情報が記録されてゆく。
【００６５】
例えば、図６に示す例では、タグＩＤが「Ｔ−０００１」である無線タグ１０を保持する看護師であって、看護師ＩＤが「ＩＤ−０００１」である看護師「Ａさん」が、「８０１号室」、「８０２号室」、「第１カンファレンスルーム」にて検出されたときの行動履歴情報が記録されている。各行動履歴情報は、データ項目として、タグＩＤ、看護師ＩＤ、看護師名、リーダＩＤ、場所名、入室日時および退室日時を含んで構成されている。
【００６６】
タグＩＤには、無線タグリーダ装置２０から受信した行動履歴情報に示されているタグＩＤ（すなわち、看護師が保持する無線タグ１０のタグＩＤ）が設定される。
【００６７】
看護師ＩＤは、当該行動履歴情報が行動履歴情報記憶部３１に記録されるときに、行動履歴情報記録部３６によって、タグＩＤに対応する看護師ＩＤが設定される。看護師名は、当該行動履歴情報が行動履歴情報記憶部３１に記録されるときに、行動履歴情報記録部３６によって、タグＩＤに対応する看護師名が設定される。看護師ＩＤおよび看護師名は、タグＩＤに基づいて、看護師情報記憶部３３に記憶されている看護師情報を参照することによって特定可能である。なお、看護師ＩＤおよび看護師名は、無線タグ１０に記録されていてもよく、無線タグリーダ装置２０によって無線タグ１０から読み取られて、タグＩＤとともに、無線タグリーダ装置２０から看護業務支援装置３０へ送信されてもよい。
【００６８】
リーダＩＤは、無線タグリーダ装置２０から受信した行動履歴情報に示されているリーダＩＤ（すなわち、看護師が保持する無線タグ１０からタグＩＤを読み取った無線タグリーダ装置２０のリーダＩＤ）が設定される。場所名は、当該行動履歴情報が行動履歴情報記憶部３１に記録されるときに、行動履歴情報記録部３６によって、リーダＩＤに対応する場所名が設定される。場所名は、リーダＩＤに基づいて、検出場所情報記憶部３４に記憶されている検出場所情報を参照することによって特定可能である。なお、場所名は、無線タグリーダ装置２０に記録されていてもよく、リーダＩＤとともに、無線タグリーダ装置２０から看護業務支援装置３０へ送信されてもよい。
【００６９】
入室日時には、看護師が入室した日時が設定される。退室日時には、看護師が退室した日時が設定される。具体的には、入室日時には、無線タグリーダ装置２０から行動履歴情報（入室情報）を受信したときのシステム日時が、行動履歴情報記録部３６により設定される。また、退室日時には、無線タグリーダ装置２０から行動履歴情報（退室情報）を受信したときのシステム日時が、行動履歴情報記録部３６により設定される。
【００７０】
入室日時および退室日時に設定される日時は、これに限らない。例えば、看護師が入室する際に無線タグリーダ装置２０がタグＩＤを読み取ったときの日時を無線タグリーダ装置２０から受信して、当該日時を入室日時として設定してもよい。また、看護師が退室する際に無線タグリーダ装置２０がタグＩＤを読み取ったときの日時を無線タグリーダ装置２０から受信して、当該日時を退室日時として設定してもよい。
【００７１】
〔救援を要請する旨の通知メッセージの表示例〕
図７は、本実施形態に係る通知メッセージの表示例を示す図である。図７に示す表示画面７００は、救援を要請する旨の通知メッセージの表示画面の一例である。この表示画面７００は、所定の場所における看護師の滞在時間が制限時間を超えたことにより、看護業務支援装置３０から携帯端末５４に対して救援を要請する旨の通知がなされたときに、携帯端末５４が備えるディスプレイに表示される画面の一例である。
【００７２】
例えば、表示画面７００には、当該通知が救援を要請する通知であることを示す「救援要請」の文字が表示されている。これにより、看護師は、当該通知を他のナースコールの呼出種別（例えば、一般呼出、緊急呼出等）による呼び出しと区別することができる。また、表示画面７００には、救援を要請する看護師の名前（図中「看護師Ａさん」）と、救援の要請場所（図中「８０２号室」）と、救援を要請する旨のメッセージ（図中「救援をお願いします」）とが示されている。
【００７３】
携帯端末５４においては、この表示画面７００をディスプレイに表示するとともに、所定の呼出音をスピーカから発する。同様に、例えばナースセンタに設置されたナースコール親機５１においても、この表示画面７００をディスプレイに表示するとともに、所定の呼出音をスピーカから発する。このような通知を受けた看護師（携帯端末５４を所持する看護師、または、ナースセンタに所在する看護師）は、この表示画面７００および呼出音により、救援要請がなされたことを把握することができるとともに、救援を要請する看護師（看護師Ａさん）および救援の要請場所（８０２号室）を特定することができる。
【００７４】
以上説明したように、本実施形態では、例えば患者または患者の家族から不必要に長時間拘束される等により、看護師が所定の場所に長時間滞在した場合、ナースコール親機５１および携帯端末５４に対して救援を要請する旨の通知がなされる。そして、所定の場所に滞在している看護師は、この通知を受けた他の看護師等からの救援を受けることにより、その場から解放してもらうことができる。これにより、看護師の行動履歴情報を記録することの有益性を看護師に感じさせることができるようになるため、看護師の行動履歴情報を記録することの理解を看護師から得やすくなるようにすることができる。
【００７５】
なお、上記実施形態では、看護師の入室および退室を、看護師が無線タグ１０を無線タグリーダ装置２０にかざすことにより検出することとしたが、入室および退室の検出方法はこれに限らない。例えば、看護師が所持する携帯端末５４に内蔵されているＧＰＳ受信機からの位置情報により、看護師の入室および退室を検出する等、従来知られている様々な手法により、看護師の入室および退室を検出してもよい。
【００７６】
また、上記実施形態では、ナースコール親機５１および携帯端末５４の双方に対して救援を要請する旨の通知を行うようにしているが、これに限らず、ナースコール親機５１または携帯端末５４のいずれか一方に対して、救援を要請する旨の通知を行うようにしてもよい。また、その他の機器（例えば、警備員室に設置されている電話機等）に対して、救援を要請する旨の通知を行うようにしてもよい。
【００７７】
また、上記実施形態において、１つの所定の場所に対して複数の制限時間（例えば、３０分、６０分、９０分等）が通知条件に設定され、これにより、通知部３９が、救援を要請する旨の通知を繰り返し行うようにしてもよい。または、通知部３９は、看護師の滞在時間が通知条件に設定されている制限時間を超過する毎（例えば、３０分毎）に、救援を要請する旨の通知を行ってもよい。
【００７８】
これにより、例えば救援の要請の通知を行ったにも関わらず、看護師がなおも所定の場所に留まっているような場合に、救援の要請の通知を繰り返し行うことができる。このように救援の要請の通知を繰り返し行うような場合には、当該通知を行う間隔が徐々に短くなるようにしてもよい。
【００７９】
また、救援の要請の通知を繰り返し行うような場合には、その都度、通知先の看護師を変更するようにしてもよい。例えば、救援の要請の通知先として看護師情報に設定されている複数の看護師の中から、所定の優先順位に従って、実際に救援の要請の通知先とする看護師を順次選択するようにしてもよい。これにより、例えば、先の通知先とした看護師が、手が空いていないために救援できない場合であっても、後の通知先とした看護師によって救援してもらうことができる。また、先の通知先とした看護師による救援だけでは、看護師をその場から解放することができない場合に、後の通知先とした看護師にも救援してもらうことができる。
【００８０】
また、上述の実施形態では、看護師を特定可能な情報の一つであるタグＩＤを無線タグリーダ装置２０から取得し、看護師の検出場所を特定可能な情報の一つであるリーダＩＤを無線タグリーダ装置２０から取得するようにしているが、これに限らない。例えば、看護師を特定可能な情報として、看護師ＩＤ、看護師名、携帯端末５４の識別情報等を無線タグリーダ装置２０から取得してもよい。また、看護師の検出場所を特定可能な情報として、検出場所の場所名等を無線タグリーダ装置２０から取得してもよい。
【００８１】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８２】
１  看護業務支援システム
１０  無線タグ
１１  タグ情報記憶部
１２  タグ情報送信部
２０  無線タグリーダ装置
２１  リーダ情報記憶部
２２  タグ情報受信部
２３  行動履歴情報送信部
３０  看護業務支援装置
３１  行動履歴情報記憶部
３２  通知条件記憶部
３３  看護師情報記憶部
３４  検出場所情報記憶部
３５  行動履歴情報取得部
３６  行動履歴情報記録部
３７  判定部
３８  計測部
３９  通知部
４０  病院内ネットワーク
５０  ナースコールシステム
５１  ナースコール親機
５４  携帯端末
【図１】
2015210701.tif 000003
【図２】
2015210701.tif 000004
【図３】
2015210701.tif 000005
【図４】
2015210701.tif 000006
【図５】
2015210701.tif 000007
【図６】
2015210701.tif 000008
【図７】
2015210701.tif 000009